(57)【要約】【課題】本発明は、ネック保持機能を有する物品キャリアに関する。【解決手段】本発明の物品キャリアは、ベースとベースを頂部に接続するネックよりも大きな頂部とを含んでいる物品を受容及び固定するための物品キャリアにおいて、主パネルと、主パネルに取り付けられたベース受容構造体であって、物品のベースを受容するためのベース受容構造体と、主パネルから形成され、主パネルに折り曲げ可能に接続されている係合フラップであって、物品のネックを係合するための係合フラップと、を備えている物品キャリアであって、係合フラップは、係合フラップがネックに係合していない場合に全体として載置されている初期平面を形成しており、  ネック受容開口部と、ネックがネック受容開口部に導入される際に通過する経路を開口するために、係合フラップの少なくとも一部を初期平面から変位させるための導入手段とを備えている。【選択図】図１
2008285230.tif 000002
【特許請求の範囲】
【請求項１】
ベースと前記ベースを頂部に接続するネックよりも大きな前記頂部とを含んでいる物品を受容及び固定するための物品キャリアにおいて、
主パネルと、
前記主パネルに取り付けられたベース受容構造体であって、前記物品の前記ベースを受容するための前記ベース受容構造体と、
前記主パネルから形成され、前記主パネルに折り曲げ可能に接続されている係合フラップであって、前記物品の前記ネックを係合するための前記係合フラップと、
を備えている物品キャリアであって、
前記係合フラップは、前記係合フラップが前記ネックに係合していない場合に全体として載置されている初期平面を形成しており、  ネック受容開口部と、前記ネックが前記ネック受容開口部に導入される際に通過する経路を開口するために、前記係合フラップの少なくとも一部を前記初期平面から変位させるための導入手段とを備えていることを特徴とする物品キャリア。
【請求項２】
前記係合フラップは、運搬するための開口部を前記主パネルに形成していることを特徴とする請求項１に記載の物品キャリア。
【請求項３】
前記導入手段が、前記ネック受容開口部から前記係合フラップの自由縁部に至るまで延在している切り込みを備えていることを特徴とする請求項１に記載の物品キャリア。
【請求項４】
前記係合フラップが、折り曲げ線に沿って折り曲げ可能に前記主パネルに接続され、
前記スリットが、前記折り曲げ線から前記ネック受容開口部を横切って所定位置に配置されていることを特徴とする請求項３に記載の物品キャリア。
【請求項５】
前記導入手段は、前記ネック受容開口部及び前記係合フラップの自由縁部の両方に向かって開口している切欠を備えていることを特徴とする請求項１に記載の物品キャリア。
【請求項６】
前記切欠の幅は、前記ネックの横方向の最小寸法よりも実質的に小さいことを特徴とする請求項５に記載の物品キャリア。
【発明の詳細な説明】
【発明を実施するための最良の形態】
【０００１】
本発明は、必要に応じて本明細書に詳細に記載されている。開示される実施例が様々な代替的な形態及びこれらを組み合わせた形態で実施可能な本発明の単なる典型例であることに留意すべきである。本明細書では、“典型的な（exemplary）”という用語は、図面、例示、モデル、又はパターンとして利用される実施例に言及するために広く利用される。図面は、必ずしも縮尺に基づいて正確に描かれている訳ではなく、特定の構成要素を詳細に表わすために誇張又は最小化されている。他の例では、よく知られた構成要素、システム、又は方法については、本発明を明確にするために詳細には説明しない。従って、本明細書に開示される特定の構造的特徴及び機能的特徴は、限定的に解釈してはならず、あくまでも発明の技術的範囲内の基本的な実施例であって、当業者が本発明を多様に実施可能となるような代表的な実施例にすぎない。
【０００２】
図面全体を通じて、類する参照符号は類する要素を示している。図面は物品キャリアの典型的な実施例の様々な態様を示している。本明細書で詳述する実施例では、「物品キャリア（article carrier）」という用語は、本明細書の様々な特徴を示すことを目的として被制限的に物品を保持、運搬、及び販売するための構造体を示している。しかしながら、本発明は、物品を取り外し可能に固定するための任意の構造体に適用可能である。
【０００３】
一般には、典型的な物品キャリアは、主パネル、主パネルに接続されたベース受容構造体、主パネルに接続されたネック受容構造体、及び主パネルに接続された補助区画又は格納構造体を含んでいる。第１の物品は、ベース受容構造体及びネック受容構造体によって保持されている。第２の物品は、補助区画に受容されている。
【０００４】
図１は典型的なブランク１００を表わす。該ブランクは、図２〜図４を参照して以下に詳述するように、折り曲げられ固定されることによって、物品キャリア２００を形成している。ブランク１００は、適切な基材から成る単一のシートであることが望ましい。「適切な基材（suitable substrate）」という用語は、本明細書で説明するように、板紙、段ボール、カード紙、プラスチック、これらを組み合わせたもの、及びこれらに類するもののすべての形式を含んでいる。図示の実施例では、ブランク１００は単一のブランクであって、物品キャリア２００を形成するために利用される。しかしながら、２つ以上のブランクが物品キャリア２００を形成するように機能する場合があることは言うまでもない。さらに、典型的な実施例では、ブランク１００はスプレー瓶を梱包するための物品キャリアを形成するように構成されている。本明細書に開示される教示に従って、ブランクは、他の物品のための物品キャリアを形成するような大きさ、配置、及び改良をすることができることは言うまでもない。
【０００５】
図１は、ブランク１００が主パネル１１０と、ネック受容構造体を形成するパネル及び要素と、ベース受容構造体を形成するパネルと、補助区画を形成するパネル及び端部フラップとを含んでいることを表わす。
【０００６】
主ネックリング１２０の形態をした第１の係合フラップは、主パネル１１０から突出している。主ネックリング１２０の自由な外縁部が打ち抜き穴（perforation）又は切り込み１２２（cut）のような切り込み線（severance line）によって形成されているので、主ネックリング１２０は部分的に主パネル１１０から分離可能とされる。一方、主ネックリング１２０の内縁部が折り曲げ線１２４によって形成されているので、主ネックリング１２０は折り曲げ可能に主パネル１１０に接続されている。主ネックリング１２０は、ネック受容開口部１２６を含んでいる。典型的な物品（図２〜図５を参照）のネックと、切り込み線１２２とネック受容開口部１２６との間に延在している切り込み又はスリット１２８のような切り込み線の形態をした導入手段と、を受容するような大きさとされている。
【０００７】
典型的な実施例では、補強パネル１３０は、折り曲げ線１３２を中心として折り曲げ可能に主パネル１１０に接続されている。そして、補強ネックリング１４０の形態をした第２の係合フラップは、補強パネル１３０から突出している。補強ネックリング１４０の自由な外縁部は、抜き打ち穴又は切り込み１４２のような切り込みによって形成されているので、補強ネックリング１４０は補強パネル１３０から部分的に突出している。一方、補強ネックリング１４０の内縁部が折り曲げ線１４４によって形成されているので、補強ネックリング１４０は補強パネル１３０に折り曲げ可能に接続されている。補強ネックリング１４０は、典型的な物品のネックと、切り込み線１４２とネック受容開口部１４６との間に延在している切り込み又はスリット１４８のような切り込み線の形態をした導入手段と、を受容する大きさとされたネック受容開口部１４６を含んでいる。
【０００８】
主ネックリング１２０及び補強ネックリング１４０の構成部材は、折り曲げ線１３２を中心として略対称に配置されている。従って、以下にさらに詳述するように、補強パネル１３０が折り曲げ線１３２を中心として折り曲げられ主パネル１１０と接触した平坦な面を形成した場合に、主ネックリング１２０及び補強ネックリング１４０は、互いに協働し、主ネックリング１２０及び補強ネックリング１４０から成る複合的なネックリングを形成するように位置決めされる。例えば、ネック受容開口部１２６，１４６は、それぞれ略同一距離で折り曲げ線１３２からオフセットされ、互いに折り曲げ線１３２に対して垂直な垂直軸線に沿って位置合せされ、略同一な大きさ及び長さを有している。代替的な実施例では、補強パネル１３０及び補強ネックリング１４０が設けられていない場合があることに留意すべきである。
【０００９】
以下に詳述するように、ブランク１００はベース受容構造体を備えた一連のベースパネルを含んでいる。典型的な一連のベースパネルは位置合せされ、順番に（one to the next）折り曲げ可能に接続されているので、折り曲げて管状構造体を形成可能になっている。一連のベースパネルは、基部ベースパネル１５０、側部ベースパネル１５２、及び頂部ベースパネル１５４を含んでいる。基部ベースパネル１５０は、折り曲げ線１６０に沿って主パネル１１０に折り曲げ可能に接続されている。側部ベースパネル１５２は、折り曲げ線１６２に沿って底部ベースパネル１５０に折り曲げ可能に接続されている。そして、頂部ベースパネル１５４は、折り曲げ線１６４に沿って側部ベースパネル１５２に折り曲げ可能に接続されている。以下に詳述するように、ブランク１００は、ベース受容構造体を形成するために主パネル１１０に固定され得る縁部フラップ１５６をさらに含んでいる。縁部フラップ１５６は、折り曲げ線１６６に沿って頂部ベースパネル１５４に折り曲げ可能に接続されている。
【００１０】
ベース受容開口部１６８は、頂部ベースパネル１５４に形成されている。ベース受容開口部１６８は、以下にさらに詳述するように典型的な物品のベースを受容及び支持するような大きさとされ、且つ位置決めされている。
【００１１】
ブランク１００は、以下に詳述するように補助区画を備えた仕切りパネル及び端部フラップを含んでいる。典型的な区画パネルは、連なった状態で位置合わせされ、折り曲げて管状構造体を形成するように順番に折り曲げ可能に接続されている。区画パネルは、第１の側面パネル１７０、第２の側面パネル１７２、及び第３の側面パネル１７４を含んでいる。第１の側面パネル１７０は、折り曲げ線１８０に沿って折り曲げ可能に主パネル１１０に接続されている。第２の側面パネル１７２は、折り曲げ線１８２に沿って折り曲げ可能に第１の側面パネル１７０に接続されている。そして、第３の側面パネル１７４は、折り曲げ線１８４に沿って折り曲げ可能に第２の側面パネル１７２に接続されている。さらに、ブランク１００は、補助区画を形成するために主パネル１１０に固定することができる縁部フラップ１７６を含んでいる。縁部フラップ１７６は、折り曲げ線１８６に沿って折り曲げ可能に第３の側面パネル１７４に接続されている。
【００１２】
端部フラップは区画パネルの側面パネル及び主パネルの１つ以上の端部に折り曲げ可能に接続されている。区画が管状構造体として配置された場合には、端部フラップが折り曲げられ固定されることによって、閉端構造体が区間の両開端部で形成可能とされる。底端部フラップＢ１は、折り曲げ線Ｆ１に沿って折り曲げ可能に主パネル１１０に接続されている。底端部フラップＢ２は、折り曲げ線Ｆ２に沿って折り曲げ可能に第１の側面パネル１７０に接続されている。そして、底端部フラップＢ３は、折り曲げ線Ｆ３に沿って折り曲げ可能に第２の側面パネル１７２に接続されている。そして、底端部フラップＢ４は、折り曲げ線Ｆ４に沿って折り曲げ可能に第３の側面パネル１７３に接続されている。頂端部フラップＴ１は、折り曲げ線Ｆ５に沿って折り曲げ可能に主パネル１１０に接続されている。頂端部フラップＴ２は、折り曲げ線Ｆ６に沿って折り曲げ可能に第１の側面パネル１７０に接続されている。頂端部フラップＴ２は、折り曲げ線Ｆ６に沿って折り曲げ可能に第１の側面パネル１７０に接続されている。そして、頂端部フラップＴ３は、折り曲げ線Ｆ７に沿って折り曲げ可能に第３の側面パネル１７４に接続されている。縁部フラップ１７８は、折り曲げ線１８８に沿って折り曲げ可能に頂端部フラップＴ１に接続されている。
【００１３】
本明細書で説明する折り曲げ作業に従うことによって、ブランク１００から物品キャリア２００を立ち上げることができる。自動立ち上げ装置及び／又は手動によって折り曲げ作業を実行することができる。立ち上げ工程の実行方法は、本明細書で説明される典型的な方法に限定される訳ではない。特に、工程の順番は製造要件に基づいて変更可能であり、工程を追加又は省略することもできる。さらに、構成部材を互いに固定する手段は変更可能である。例えば、シート材料の表面は、適切な手段によって共に固定可能である。適切な固定手段としては、テープ、ステープル、折り畳み式連結部（interlocking fold）、ベルクロ（VELCRO）（登録商標）、接着剤、又は他の固定手段、及びこれらの組み合わせが挙げられる。
【００１４】
物品キャリア２００のネック受容構造体を形成する典型的な方法に従って、接着剤を補強パネル１３０及び補強ネックリング１４０に塗布する。補強パネル１３０を主パネル１１０に固定し、且つ補強ネックリング１４０を主ネックリング１２０に固定するように、ブランク１００を折り曲げ線１３２に沿って折り曲げる。これにより、主パネル１１０の補強部分又は複合部分１１０／１３０が形成され、複合的なネックリング１２０／１４０がその内部に形成される。
【００１５】
物品キャリア２００の典型的なベース受容構造体２５０を形成する典型的な方法に従って、接着剤を縁部フラップ１５６の内面に塗布する。従って、ブランク１００を折り曲げ線１６２に沿って折り曲げることによって、縁部フラップ１５６の内面を主パネル１１０と平坦な状態になるように接触させ、前記主パネルに固定することができる。これにより、ベース受容構造体２５０のベースパネルを平坦な状態に位置合わせ可能となるので、容易に物品キャリア２００を積み重ねて出荷することができる。パネルを互いから離間するように引っ張ることによって管状構造体を形成すると、図２〜図４に表わすようにベース受容構造体２５０を平坦な状態から立ち上げることができる。頂部ベースパネル１５４及び底部ベースパネル１５０のそれぞれは、側部ベースパネル１５２及び主パネル１１０のそれぞれに対して略垂直である。
【００１６】
典型的な区画２７０を形成する典型的な方法に従って、縁部フラップ１７６を折り曲げ線１８６に沿って折り曲げることによって、縁部フラップ１７６の内面を第３の側面パネル１７４の内面と平坦な状態となるように面接触させることができる。接着剤を縁部フラップ１７６の外面に塗布する。従って、ブランク１００を折り曲げ線１８２に沿って折り曲げることによって、縁部フラップ１７６の外面が主パネル１１０と平坦な状態となるように面接触させ、前記主パネルに固定可能となる。その後に、区画２７０の区画パネルを平坦な状態に配置するので、容易に物品キャリア２００を積み重ね出荷することができる。パネルを互いに離隔するように引っ張り、管状構造体を形成すると、図２〜図４に表わすように部分的に区画２７０を平坦な状態から立ち上げることができる。第１の側面パネル１７０及び第３の側面パネル１７４のそれぞれは、第２の側面パネル１７２及び主パネル１１０のそれぞれに対して略垂直である。
【００１７】
さらに、図２及び図３を参照すると、底端部フラップＢ１，Ｂ２，Ｂ３，Ｂ４を折り曲げて互いに対して固定することによって、底端部が閉じられた構造体（図示しない）を形成することができる。頂端部フラップＴ１，Ｔ２，Ｔ３を折り曲げて固定することによって、頂端部が閉じられた構造体を形成することができる。
【００１８】
典型的な物品キャリア２００は、典型的な物品３００を受容、固定、及び小分けするように適合している。典型的な物品３００は、頭部又は頂部３１０、ベース３２０、及び頂部３１０をベース３２０に接続するネック３３０を有している。頂部３１０及びベース３２０は、両方ともネック３３０よりも大きい。
【００１９】
物品３００を物品キャリア２００内に受容及び固定するための典型的な方法を説明する。図２〜図４に表わすように、物品３００のベース３２０をベース受容開口部１６８に挿入し、且つ基部ベースパネル１５０と接触させることによって、前記ベースが底部ベースパネル１５０上に載置されるので、物品３００をベース受容構造体２５０内に受容することができる。物品３００をベース構造体２５０内に受容した場合には、ベース構造体２５０を立ち上げた状態に維持することができる。主ネックリング１２０及び補強ネックリング１４０から成る複合体を主パネル１１０のうち主パネル１１０と補強パネル１３０とが重なった部分から切り込み線１２２，１４２に沿って部分的に取り外し、折り曲げ線１２４，１４４に沿って物品３００に向かって分割又は分岐すると、物品３００を付加的に固定することができる。主ネックリング１２０及び補強ネックリング１４０から成る複合体が物品３００に接触した時又はその前に、主ネックリング１２０及び補強ネックリング１４０から成る複合体をスリット１２８／１４８に沿って分割又は分岐することによって、主ネックリング１２０及び補強ネックリング１４０から成る複合体には、２つの湾曲アームＡ１，Ａ２が設けられ、これらの遠位端はスリット１２８／１４８によって形成される。
【００２０】
主ネックリング１２０及び補強ネックリング１４０から成る複合体を物品３００に向かってさらに折り曲げることによって、物品３００のネック３３０が予め設けられたスリット１２８／１４８を通過し、互いに対して湾曲アームＡ１，Ａ２の向きを変えるか又は分割するので、湾曲アームＡ１，Ａ２の間に経路が形成され、ネック３３０はネック受容開口部１２６／１４６に受容される。物品３００のネック３３０をネック受容開口部１２６／１４６に受容すると、湾曲アームＡ１，Ａ２は湾曲アーム自体の弾性によって互いに近接するので、ネック３３０の周囲を囲むようになる。その後に、物品３００を物品キャリア２００内に取り外し可能に固定することができる。
【００２１】
物品３００の頂部３１０及びベース３２０それぞれがネック受容開口部１２６／１４６よりも大きいので、頂部３１０及びベース３３０のいずれもがネック受容開口部１２６／１４６を通じてスライド可能とされることに留意すべきである。本発明で利用される導入手段は、切り込みに限定される訳ではなく、例えば間隙、スロット、ノッチやこれらに類するもののような切欠を含んでいる。このような類するものは、ネック受容開口部１２６／１４６、及び主ネックリング１２０及び補強ネックリング１４０から成る複合体の自由な外縁部に向かって開口している。図６は、このような切欠の一例であって、それぞれが切欠４２８，４４８を有する一組のネックリング４２０，４４０を備えた物品キャリアのブランク４００を表わす。ネックリング４２０，４４０を共に固定した場合、ネックリング４２０／４４０から成る複合体には、物品３００のネック３３０の横幅又は直径よりも実質的に小さい幅Ｗを有した単一の切欠４２８／４４８が形成されている。
【００２２】
図２〜図５に表わすように、主パネル１１０のうち主パネル１１０と補強パネル１３０とが重なった部分の平面から離間するように主ネックリング１２０及び補強ネックリング１４０から成る複合体を折り曲げることによって、開口部Ｈを形成することができる。主パネル１１０のうち主パネル１１０と補強パネル１３０とが重なった部分は、物品キャリア２００を運搬するためのハンドルとして利用することができる。典型的な実施例では、開口部Ｈは、利用者が物品３００によって阻害されることなく１本以上の指を開口部Ｈに通すことができるように形成される。特に図５に表わすように、開口部Ｈの一部分Ｐは物品３００のネック３３０からオフセットされている。
【００２３】
物品、例えば円筒状の物品が区画２７０に受容及び固定可能とされる。代替的な実施例では、区画２７０が設けられていない場合がある。物品キャリアは、複数の物品を取り外し可能に係合するために複数のネック受容構造体及びベース受容構造体を含んでいる。
【００２４】
本明細書における折り曲げ線（fold line）という用語は、ブランクの折り曲げ機能を実現するあらゆる態様の線を含んでいる。折り曲げ線は、互いに対してブランクの一部を容易に折り曲げ可能であるか、さもなければブランクのための最適なパネルを形成する折り曲げ位置を示す。折り曲げ線として、折り目線（score line）、エンボスライン（embossed line）やデボスドライン（debossed line）が挙げられる。
【００２５】
本明細書における折れ易い線（frangible line）、引き裂き線（tear line）、及び切り込み線（severance line）は、互いから基材の一部を容易に分離させることができるか、最適な分割位置を示すあらゆる態様の線を含んでいる。切り込み線、引き裂き線、及び折れ易い線として、脆弱な線（frangible line）、切断線（cut line）やスリットが挙げられる。
【００２６】
折れ易い線、引き裂き線、切り込み、及び折り曲げ線という用語には、それぞれ打ち抜き穴、打ち抜き線、短いスリットから成る線、ハーフカットライン（a line of half-cuts）、単一のハーフカット、切断線、割り込み切断線、スリット、折り目、これらの任意の組み合わせ、及びこれらに類するものが含まれる。これら要素は、理想的な機能を実現する大きさ及び配置とされている。例えば、打ち抜き穴から成る線は、脆弱性を有し、折り曲げ線及び／又は切り込み線を形成するように構成されている。打ち抜き穴から成る線は、容易に折り曲げ且つ耐破断性を有しているように構成され、力を入れれば容易に折り曲げ且つ容易に破断させることができるように構成され、又はほとんど力を入れなければ容易に破断させることができないように構成されている。
【００２７】
本発明は、特定の実施例に関連して説明されている。この実施例には、あらゆる態様が含まれ、図示の実施例に限定される訳ではない。当業者は、本発明の技術的範囲から逸脱することなく、本発明に対して多様な変更及び改良が可能であることを理解することができる。例えば本明細書で利用されるように、「頂部（top）」、「ベース（base）」、「底部（bottom）」、「端部（end）」、「側部（side）」、「内部（inner）」、「外部（outer）」、「上部（upper）」、「中央（middle）」、「下部（lower）」、「前方（front）」、及び「後方（rear）」という用語は、互いの壁部を区別するために利用されるにすぎない。単一の折り曲げ部（hinge）のみを含む結合部（junction）を説明する必要がある場合には、折り曲げ可能な接続部（hinged connection）について言及されない。折り曲げ可能な接続部が材料を折り曲げ可能に接続するための１つ以上の潜在的に相違する手段から形成されることは言うまでもない。
【００２８】
上述の実施例は、本発明の技術的思想を明確に理解するために単なる典型的な装置を図示したにすぎない。本発明の技術的範囲から逸脱することなく、上述の実施例に対して変化、改良、及びこれらの組み合わせを実施可能である。本明細書には、本明細書及び特許請求の範囲の技術的範囲によって、このような変化、改良、及びこれらの組み合わせのすべてが含まれている。
【図面の簡単な説明】
【００２９】
【図１】本発明の一の実施例における典型的な物品キャリアを形成するためのブランクの平面図である。
【図２】図１のブランクから形成された物品キャリアの斜視図である。
【図３】図１のブランクから形成された物品キャリアの斜視図である。
【図４】図１のブランクから形成された物品キャリアの斜視図である。
【図５】図１のブランクから形成された物品キャリアの斜視図である。
【図６】本発明の代替的な実施例における物品キャリアを形成するためのブランクの部分拡大平面図である。
【符号の説明】
【００３０】
１００  ブランク
１１０  主パネル
１２０  主ネックリング
１２２  切り込み
１２４  折り曲げ線
１２６  ネック受容開口部
１２８  切り込み又はスリット
１３０  補強パネル
１３２  折り曲げ線
１４０  補強ネックリング
１４２  切り込み線
１４４  折り曲げ線
１４６  ネック受容開口部
１４８  切り込み又はスリット
１５０  基部ベースパネル
１５２  側部ベースパネル
１５４  頂部ベースパネル
１５６  縁部フラップ
１６０  折り曲げ線
１６２  折り曲げ線
１６４  折り曲げ線
１６６  折り曲げ線
１６８  ベース受容開口部
１７０  第１の側面パネル
１７２  第２の側面パネル
１７４  第３の側面パネル
１７６  縁部フラップ
１７８  縁部フラップ
１８０  折り曲げ線
１８２  折り曲げ線
１８４  折り曲げ線
１８６  折り曲げ線
１８８  折り曲げ線
２００  物品キャリア
２５０  ベース受容構造体
２７０  区画
３００  物品
３１０  頂部
３２０  ベース
３３０  ネック
４２０  ネックリング
４２８  切欠
４４０  ネックリング
４４８  切欠
Ａ１  湾曲アーム
Ａ２  湾曲アーム
Ｂ１  底端部フラップ
Ｂ２  底端部フラップ
Ｂ３  底端部フラップ
Ｂ４  底端部フラップ
Ｆ１  折り曲げ線
Ｆ２  折り曲げ線
Ｆ３  折り曲げ線
Ｆ４  折り曲げ線
Ｆ５  折り曲げ線
Ｆ６  折り曲げ線
Ｆ７  折り曲げ線
Ｔ１  頂端部フラップ
Ｔ２  頂端部フラップ
Ｔ３  頂端部フラップ
【図１】
2008285230.tif 000003
【図２】
2008285230.tif 000004
【図３】
2008285230.tif 000005
【図４】
2008285230.tif 000006
【図５】
2008285230.tif 000007
【図６】
2008285230.tif 000008
【外国語明細書】
2008285230.tif 000009
2008285230.tif 000010
2008285230.tif 000011
2008285230.tif 000012
2008285230.tif 000013
2008285230.tif 000014
2008285230.tif 000015
2008285230.tif 000016
2008285230.tif 000017
2008285230.tif 000018
2008285230.tif 000019
2008285230.tif 000020
2008285230.tif 000021
2008285230.tif 000022
2008285230.tif 000023
2008285230.tif 000024